(57)【特許請求の範囲】
【請求項１】
観察者が装着可能な画像表示装置であって、
原画像に基づいて歪画像を生成する歪画像生成部と、
前記歪画像の歪量を設定する歪量設定部と、
前記歪画像を表示する画像表示部と、
前記観察者であるユーザの生体情報を取得する生体情報取得部と
を備え、
前記歪量設定部は、前記生体情報取得部で取得された前記生体情報に基づいて、前記歪画像の歪量を調整し、
前記歪画像生成部は、前記原画像に前記歪量設定部で設定された前記歪量を加えて、前記歪画像を生成する画像表示装置。
【請求項２】
前記歪量設定部は、
ユーザが前記歪量を設定可能である請求項１に記載の画像表示装置。
【請求項３】
前記歪量設定部は、
ユーザがユーザの属性を入力することによって、設定可能である請求項１または２に記載の画像表示装置。
【請求項４】
ユーザを認識する認識部をさらに備え、
前記歪量設定部は、前記認識部により認識されたユーザに応じて前記歪量を設定する請求項１から３のいずれか１項に記載の画像表示装置。
【請求項５】
前記画像表示部は、
前記歪量を測定するテストパターンを表示する請求項１から４のいずれか１項に記載の画像表示装置。
【請求項６】
前記歪量設定部は、
前記歪量として、ユーザの画像酔いに対応した歪量を設定可能である請求項１から５のいずれか１項に記載の画像表示装置。
【請求項７】
前記歪量設定部は、
前記歪量として、ユーザのグローブイフェクト感度に対応した歪量を設定する請求項１から６のいずれか１項に記載の画像表示装置。
【請求項８】
前記歪画像生成部は、
前記原画像が予め定められた条件を満たす場合に前記歪画像を生成し、前記条件を満たさない場合に前記原画像を前記画像表示部に出力する請求項１から７のいずれか１項に記載の画像表示装置。
【請求項９】
前記歪画像生成部は、
前記原画像に画像処理を行うことにより前記歪画像を生成する請求項１から８のいずれか１項に記載の画像表示装置。
【請求項１０】
前記画像表示部は、
画像データを生成する画像生成部と、前記画像生成部における前記画像データを表示する表示光学系とを有し、
前記歪画像生成部は、
前記表示光学系の歪曲収差を調整することによって、前記歪画像の歪量を調整する請求項１から９のいずれか１項に記載の画像表示装置。
【請求項１１】
前記歪画像生成部は、
前記原画像に対する前記歪画像の歪量と前記表示光学系の歪曲収差との合成により、前記歪画像の前記画像データを生成する請求項１０に記載の画像表示装置。
【請求項１２】
外界を観察する観察光学系をさらに備え、
前記画像表示部は前記観察光学系を通った外界の像光に、前記歪画像を重畳し、
前記歪画像生成部は、前記歪画像の歪量が前記観察光学系を通った前記外界の像光の歪量に予め定められた範囲で一致するように、前記歪画像の歪量を調整する請求項１から１１のいずれか１項に記載の画像表示装置。
【請求項１３】
画像表示装置を装着した観察者に、原画像に基づく歪画像を表示する画像表示方法であって、
前記歪画像の歪量を設定する歪量設定ステップと、
前記歪量設定ステップにより設定された歪量に応じて歪画像を生成する歪画像生成ステップと、
前記観察者の生体情報を取得する生体情報取得ステップと
を有し、
前記歪量設定ステップは、前記生体情報取得ステップで取得された前記生体情報に基づいて前記歪画像の歪量を調整するステップを含み、
前記歪画像生成ステップは、前記原画像に前記歪量設定ステップで設定された前記歪量に応じて前記歪画像を生成するステップを含む
画像表示方法。
【請求項１４】
前記歪量設定ステップは、前記観察者により歪量を設定するステップを含む請求項１３に記載の画像表示方法。
【請求項１５】
前記観察者を認識する認識ステップをさらに備え、
前記歪量設定ステップは、前記認識ステップにより認識された前記観察者に応じて前記歪量を設定するステップを含む請求項１３または１４に記載の画像表示方法。
【発明の詳細な説明】
【技術分野】
【０００１】
本発明は、画像表示装置に関する。
【背景技術】
【０００２】
ユーザである観察者が、自分自身に装着して使用する画像表示システムがある。（例えば、特許文献１参照）。
特許文献１  特開２００８−２５８８０２号公報
【発明の概要】
【発明が解決しようとする課題】
【０００３】
画像表示システムの表示領域において表示内容が移動する場合、ユーザの視覚の個人差によって違和感を覚える場合があった。
【課題を解決するための手段】
【０００４】
本発明の第１の態様においては、観察者が装着可能な画像表示装置であって、原画像に基づいて歪画像を生成する歪画像生成部と、歪画像の歪量を設定する歪量設定部と、歪画像を表示する画像表示部と、を備え、歪画像生成部は、原画像に歪量設定部で設定された歪量を加えて、歪画像を生成する画像表示装置が提供される。
【０００５】
本発明の第２の態様においては、原画像に基づいて歪画像を生成する歪画像生成部と、ユーザの属性に基づいて歪画像の歪量を設定する歪量設定部と、歪画像を表示する画像表示部と、を備え、歪画像生成部は、原画像に歪量設定部で設定された歪量を調整して、歪画像を生成する画像表示装置が提供される。
【０００６】
上記の発明の概要は、本発明の特徴の全てを列挙したものではない。これらの特徴群のサブコンビネーションも発明となり得る。
【図面の簡単な説明】
【０００７】
【図１】表示装置１００の斜視図である。
【図２】ユーザ２００が表示装置１００を装着した状態を示す図である。
【図３】表示装置１００の一部の模式的断面図である。
【図４】表示装置１００の機能を概念的に示す図である。
【図５】ユーザ２００が見る視認像３１１を例示する模式図である。
【図６】表示像３２２と視覚像３２３との模式図である。
【図７】表示像３２２と視覚像３２３との模式図である。
【図８】表示像３２２の模式図である。
【図９】表示装置１００のブロック図である。
【図１０】歪画像３３１を説明する模式図である。
【図１１】他の表示装置１０１のブロック図である。
【図１２】また他の表示装置１０２のブロック図である。
【図１３】また他の表示装置１０３のブロック図である。
【図１４】また他の表示装置１０４のブロック図である。
【図１５】テストパターン図形３２５の模式図である。
【図１６】また他の表示装置１０５の模式的な部分断面図である。
【図１７】表示装置１０５のブロック図である。
【図１８】歪画像３３２を説明する模式図である。
【図１９】歪画像３３３の歪量を説明する図である。
【図２０】表示装置１０５における歪量を説明する模式図である。
【図２１】他の表示装置１０６の模式的断面図である。
【図２２】表示光学系２７４の一例を示す図である。
【図２３】表示光学系２７４の収差図である。
【図２４】表示光学系３７４の一例を示す図である。
【図２５】表示光学系３７４の収差図である。
【図２６】表示光学系４７４の一例を示す図である。
【図２７】表示光学系４７４の収差図である。
【図２８】表示装置１０７の模式図である。
【発明を実施するための形態】
【０００８】
以下、発明の実施の形態を通じて本発明を説明する。下記の実施形態は特許請求の範囲に係る発明を限定するものではない。実施形態の中で説明されている特徴の組み合わせの全てが発明の解決手段に必須であるとは限らない。
【０００９】
図１は、表示装置１００の斜視図である。表示装置１００は、眼鏡型のフレーム１１０と、フレーム１１０に配された６軸センサ１２０、電池１４０、回路部１５０、操作部１６０、表示部１７０、撮像部１８０、および生体情報センサ１９０を備える。
【００１０】
フレーム１１０は、テンプル１１１、ヒンジ１１２、保持枠１１３、ブリッジ１１４およびパッド１１５を有する。ブリッジ１１４により連結された一対の保持枠１１３の両端には、ヒンジ１１２を介してそれぞれテンプル１１１が結合される。テンプル１１１は、ヒンジ１１２において折り畳むことができるので、表示装置１００をコンパクトに収納できる。
【００１１】
６軸センサ１２０は、保持枠１１３の上面に配される。６軸センサ１２０は、例えば、互いに交差する複数の方向について加速度を検出する加速度センサと、互いに交差する複数の軸の回りについて回転を検出する角速度センサとによって構成される。なお、６軸センサ１２０は、表示装置１００の方位を検出する地磁気センサ、感度校正用の温度センサ、軸間補正用のセンサ等を用いて構成されても良い。これにより、６軸センサ１２０は、表示装置１００の姿勢や位置、変位等を検出できる。
【００１２】
電池１４０は、テンプル１１１に内蔵され、回路部１５０、表示部１７０、撮像部１８０、生体情報センサ１９０等の、表示装置１００の各部を動作させる場合に消費される電力を供給する。電池１４０は、リチウムポリマー電池のような二次電池を用いることにより、交換せずに充電して繰り返し使用できる。
【００１３】
回路部１５０は、保持枠１１３の側部に収容される。回路部１５０は、６軸センサ１２０、操作部１６０、撮像部１８０、生体情報センサ１９０等の信号を受け付けると共に、表示部１７０に表示させる画像を生成する。なお、ここでいう画像は、静止画および動画の両方を含む。また、外部との通信をする回路を、回路部１５０に配してもよい。
【００１４】
操作部１６０は、ユーザが操作するボタン、ダイアル、レバー、タッチパネル等を含む。ユーザは、操作部１６０を操作することにより、表示装置１００に対して指示等を入力する。なお、表示装置１００に操作部１６０を設ける代わりに、ブルートゥース、ＮＦＣ（近接無線通信）等を利用して、専用リモコン、スマートフォン、タブレット等から表示装置１００を操作してもよい。
【００１５】
表示部１７０は、保持枠１１３に配された眼鏡レンズ１７１および投射部１７２を含む。投射部１７２は保持枠１１３に内蔵され、保持枠１１３に保持された眼鏡レンズ１７１のユーザに対向する面（以下、「内面」と記載する）に向かって表示像光を投射する。なお、眼鏡レンズ１７１は、レンズパワーの無い、いわゆる素通しのレンズであってもよい。表示装置１００を装着したユーザは、後述するように、眼鏡レンズ１７１を通じて表示画像を視認する。
【００１６】
図示の例では、表示部１７０が、片側の保持枠１１３の周囲に設けられている。しかしながら、両方の保持枠１１３にそれぞれ表示部１７０を設けてもよい。ただし、両方の保持枠１１３に表示部１７０を設けた場合は、双方の画像がユーザにとって同じ位置に形成されるように、一対の表示像の表示位置を精度よく一致させることが好ましい。
【００１７】
撮像部１８０は、投射部１７２に隣接して保持枠１１３の側面に配される。撮像部１８０は、広角の、例えば、画角が１８０°を超える撮像光学系を有して、表示装置１００の周辺の画像を撮像する。
【００１８】
生体情報センサ１９０は、表示装置１００を装着したユーザ２００に関する情報に基づいて、ユーザ２００の体調等の状態を検出する。ユーザに関する情報としては、発汗、目の充血、視線の移動、体温、血圧、心拍数、呼吸数、血中ガス濃度等を例示でき、検出対象となる情報に応じて、複数の、あるいは複数種類の生体情報センサ１９０を設けてもよい。
【００１９】
図２は、ユーザ２００が表示装置１００を装着した状態を示す図である。表示装置１００は、パッド１１５においてユーザ２００の鼻２１０に支持され、テンプル１１１の後端近傍においてユーザ２００の耳２３０に支持される。
【００２０】
これにより、表示装置１００は、ユーザ２００の頭部に対して固定され、ユーザ２００が頭部を動かした場合は、ユーザ２００の頭部と共に変位する。また、ユーザ２００が移動した場合は、ユーザ２００と共に移動する。このような表示装置１００の変位または移動は、表示装置１００に設けられた６軸センサ１２０により検出される。
【００２１】
表示装置１００がユーザ２００に装着された場合、ユーザ２００の眼２２０の直前には、表示部１７０の眼鏡レンズ１７１が位置する。よって、表示装置１００を装着されたユーザ２００は、表示部１７０により表示された表示画像を、眼鏡レンズ１７１を通じて見る周囲環境の映像と重ねて表示像を視認できる。
【００２２】
図３は、表示装置１００における表示部１７０の模式的断面図である。表示部１７０は、眼鏡レンズ１７１および投射部１７２を含む。投射部１７２の側方には、撮像部１８０が配される。
【００２３】
表示部１７０において、保持枠１１３に保持された眼鏡レンズ１７１は、内側の表面に光透過性のある反射層１７３を有する。よって、投射部１７２により斜め後方から投射された表示像光３３０は、反射層１７３において一部が反射されてユーザ２００の眼２２０に入射する。これにより、ユーザ２００は、表示部１７０が表示する表示像を、眼鏡レンズ１７１の前方に形成される虚像により視認できる。また、ユーザ２００の眼２２０には、眼鏡レンズ１７１を通じて、視野領域３１０内の像光が直接に入射する。
【００２４】
なお、表示部１７０において、投射部１７２は、眼鏡レンズ１７１に向かって斜めに表示像光３３０を投射する。よって、投射部１７２が眼鏡レンズ１７１に向かって投射する表示画像は、キーストン歪みを補償する形状に変形して投射される。
【００２５】
表示装置１００において、撮像部１８０は、眼鏡レンズ１７１の近傍に配される。また、撮像部１８０は、図中に矢印Ｚにより示す前後方向について、表示装置１００全体における最も前方に位置する。これにより、撮像部１８０は、周辺領域の情報を示す周辺画像を広い画角で取得できる。
【００２６】
なお、表示装置１００において、ユーザ２００の眼２２０の光学的な中心軸と、撮像部１８０の光軸との間には、視差が存在する。よって、表示部１７０は、表示画像の表示位置および表示形状について、視差による歪を補償して表示することが好ましい。
【００２７】
図４は、表示装置１００の表示機能を示す模式図である。表示装置１００を装着したユーザ２００は、表示装置１００の眼鏡レンズ１７１を通じて、周辺環境における視野領域３１０内の様子を直接に視認できる。また、ユーザ２００は、表示部１７０により形成された表示像３２２を、ユーザ２００からみて前方であって、視野領域３１０の像よりも手前側に、併せて視認できる。
【００２８】
図５は、表示装置１００を使用するユーザ２００が目視している視認像３１１を模式的に示す図である。表示装置１００を使用するユーザ２００の目には、視野領域３１０内でユーザ２００が直接に見ている周辺の風景像と、表示装置１００により表示された表示像３２２とが合わさった視認像３１１を視認している。よって、ユーザ２００は、同一視野内で、視野領域３１０内の風景像と表示像３２２とを両方視認できる。
【００２９】
なお、上記の状態の表示装置１００においては、眼鏡レンズ１７１を通じてユーザ２００が視認する視認像３１１の一部領域に表示像３２２が表示され、表示領域３２０において表示像３２２を表示していない他の領域では、ユーザ２００が眼鏡レンズ１７１を通して周辺映像を直接に目視する。しかしながら、例えば、表示装置１００において、撮像部１８０が撮像した周辺映像と、表示装置１００が生成した表示像３２２とを合成した合成画像を、表示部１７０の表示領域３２０全体に表示してユーザ２００に視認させてもよい。
【００３０】
ここで、グローブイフェクト等と呼ばれる歪みの像について説明する。図６は、表示像３２２を目で視認したユーザ２００が知覚するイメージを模式的に示す図である。図６（Ａ）は、表示装置１００がユーザ２００に向かって表示した表示像３２２を示し、二次元的に等間隔で分布する多数のドットを含む。表示装置１００を使用するユーザ２００は、表示像３２２と同様に、表示領域３２０全体にドットが等間隔に配された視認像３１１を視認する。
【００３１】
しかしながら、ユーザ２００にとって表示装置１００が表示する表示像３２２に対する見掛け視野は広く、例えば６０°を超える場合がある。このように広い見掛け視野で表示像３２２を観察した場合、ユーザ２００が知覚した視認像３１１は、各ドットがユーザの目に映る角度の相違により、ドット間隔がユーザ２００にとって不均一に感じられる場合がある。
【００３２】
より具体的には、図６（Ｂ）に示すように、ユーザ２００が知覚する視認像３１１においては、表示領域３２０の周縁に近い周辺領域において、表示領域の中心に近い中央領域よりも、ドット相互の間隔が狭く見える。ただし、表示装置１００が表示する表示像３２２自体は、当初より歪曲していないか、歪曲収差が補正された像なので、表示された表示像３２２が静止している場合、ユーザ２００は、知覚した視認像３１１に対して強い違和感は覚えない。
【００３３】
図７は、表示装置１００における他の表示像３２２と、表示像３２２に基づいて表示されてユーザ２００が視認した視認像３１１と、ユーザ２００が知覚した視認像３１１とを比較して示す模式図である。図７（Ａ）に示す表示像３２２は、等間隔の同心円と、中心から放射状に等角度で配された直線とにより形成された円形グリッド状の図形を含む。
【００３４】
表示装置１００においてユーザ２００が表示像３２２を観察する場合、ユーザ２００にとっては表示像３２２の見掛け視野が広く、例えば６０°を超える。このため、ユーザ２００にとっては、等間隔または等角度の要素により形成された表示像３２２の一部で、表示像３２２を構成する要素の間隔が不均一に感じられる場合がある。
【００３５】
図７（Ｂ）に示す視認像３１１は、上記のような場合に、ユーザ２００が知覚した視認像３１１のイメージを模式的に示す図である。図示のように、ユーザ２００は、周辺領域において中央領域よりも同心円の間隔が狭い視認像３１１を知覚する。ただし、表示装置１００が表示する表示像３２２自体は、歪曲していないか、歪曲収差が補正されているので、表示された表示像３２２が静止している場合、ユーザ２００は視認像３１１に強い違和感は覚えない。
【００３６】
図８は、表示装置１００の表示領域３２０における表示図形３２４の形状の見え方を説明する模式図である。図８は、表示領域３２０に対して、表示図形３２４が移動した場合について説明する図であるが、表示領域３２０における表示図形３２４の見え方を示す目的で、表示領域３２０を示す枠を移動させている。
【００３７】
図示のように、表示図形３２４が、表示領域３２０の側縁近傍に表示される場合、図６を参照して説明した理由により、表示図形３２４の形状は、幅が狭くなったように視認される。このため、表示領域３２０の側縁部近傍から中央部に向かって移動する表示図形３２４は、移動に従って幅が拡がって知覚される。また、表示領域の中央部から側縁近傍に向かって移動する表示図形３２４は、移動に従って幅が狭まって知覚される。
【００３８】
なお、表示図形３２４は、当該移動に伴って、高さが変化するように視認される。例えば、表示領域３２０の側縁部近傍から中央部に向かって移動する表示図形３２４は、その高さが高くなるように視認され、中央部から側縁近傍に向かって移動する場合、表示領域の中央部から側縁近傍に向かって移動する表示図形３２４は、その高さが低くなるように視認される。
【００３９】
このように、表示装置１００において表示領域３２０と表示図形３２４との相対移動には、グローブイフェクト等と呼ばれる像の歪みが伴うので、表示領域３２０がまたは表示画像が移動した場合にユーザ２００が違和感を覚える場合がある。また、違和感の継続時間が長くなった場合は、ユーザ２００が画像酔いを発症する場合がある。
【００４０】
なお、図８は、表示領域３２０を水平に移動した場合にユーザ２００が知覚する視認像３１１の変形を説明するために、表示図形３２４の幅の変化を強調して示している。しかしながら、知覚した視認像３１１における変形は、図６および図７を参照して説明したように、表示領域３２０の垂直方向にも生じる。このため、表示図形３２４が表示領域３２０の上端または下端に接近した場合、ユーザ２００が知覚する視認像３１１においては、表示図形３２４の高さが縮む。
【００４１】
図９は、表示装置１００の内部構造を示すブロック図である。表示装置１００は、図１を参照して既に説明した６軸センサ１２０、操作部１６０、投射部１７２、撮像部１８０、および生体情報センサ１９０に加えて、主に回路部１５０に形成された通信部１５１、原画像生成部１５２、歪画像生成部１５３、表示画像生成部１５４、および歪量設定部１５５を備える。
【００４２】
通信部１５１は、表示装置１００と外部の機器との通信を担う。通信部１５１を通じた通信により、表示装置１００の、格納容量の拡大、分散処理による処理能力の増強、電力の補給等が可能になる。通信は、電話回線、無線ＬＡＮ、ブルートゥース、ＮＦＣ（近距離無線通信）、ワイヤレスＵＳＢ等の無線通信の他、ＵＳＢ等の有線通信も利用できる。
【００４３】
原画像生成部１５２は、表示装置１００に表示させる表示像３２２となる画像の画像データである原画像３２１（図８参照）を生成する。原画像３２１は、予め格納したものから選択してもよいし、撮像部１８０、通信部１５１等から取得したものに基づいて生成してもよい。原画像生成部１５２は、歪曲が無いか、歪曲収差が補正された原画像３２１を生成する。歪画像生成部１５３は、原画像生成部１５２が生成した歪曲の無い、または、歪曲収差が補正された原画像３２１に歪みを加える画像処理を実行して、画像データである歪画像を生成する。
【００４４】
表示画像生成部１５４は、歪画像生成部１５３により生成された歪画像を、表示装置１００において表示し得る画像データである表示画像に変換して、表示部１７０の投射部１７２から像光として出力させる。これにより、表示部１７０は、歪曲が無いか、十分に補正された表示像３２２をユーザ２００に表示する。
【００４５】
なお、表示像３２２が、ユーザ２００の見掛け視野に対して十分に小さい場合、あるいは、表示像３２２が、表示装置１００の表示領域３２０に対して静止している場合は、上述した歪みはユーザ２００に視認され難い。よって、表示画像生成部１５４は、表示画像の大きさおよび形状、表示装置１００が変位しているか否か等の情報を参照して、表示像３２２の歪みをユーザ２００が視認する可能性が高いことを条件として、歪画像を投射部１７２に送信してもよい。また、表示画像が、ユーザ２００に歪みを視認させる条件が満たされていない場合、表示画像生成部１５４は、原画像生成部１５２が生成した原画像３２１を投射部１７２に送信してもよい。
【００４６】
なお、上記のように、表示像３２２に歪みが生じる条件が満たされない場合は、歪画像生成部１５３による歪画像の生成自体を省いてもよい。この場合、歪画像生成部１５３は、原画像生成部１５２から受け取った原画像３２１を、そのまま表示画像生成部１５４に転送する。
【００４７】
歪量設定部１５５は、原画像３２１に対して加える歪量を設定する。当該歪量は、図６、図７および図８を参照して説明した視認像３１１に対するユーザ２００の違和感を緩和すべく、原画像３２１に与えられる。
【００４８】
この場合に、歪量設定部１５５は、予め定められメモリ等に記憶された複数種類の歪量のいずれかを選択してもよい。歪量の種類には、予め定められた中央の矩形の領域を歪ませずに、その周囲の領域を外側に拡大する歪や、レンズ等の光学系で発生する歪曲収差と同等の歪が含まれてもよい。
【００４９】
これに代えてまたはこれに加えて、歪量にパラメータが含まれた形でメモリ等に記憶されており、歪量設定部１５５は当該パラメータの値を設定することにより、当該歪量を設定してもよい。パラメータの例は、歪量の種類が原画像３２１の一部を拡大または縮小するものである場合の、拡大率または縮小率である。パラメータの他の例は、上記歪量の種類における拡大または縮小する領域の位置や大きさ、拡大または縮小する方向である。パラメータのさらに他の例は、歪量の種類が歪曲収差と同等の歪の場合における歪曲収差の正負およびその絶対値である。なお、この場合、歪量は歪曲収差を表現するためのパラメータである。歪曲収差は、表現パラメータとしての歪量を変更することで、任意かつ可変に調整されうる。
【００５０】
歪量設定部１５５に設定する歪量または当該歪量を決めるパラメータは、操作部１６０を通じてユーザ２００が手動で設定してもよい。この場合、歪量設定部１５５に設定される歪量の値は、ユーザ２００の設定に応じて連続的に変化してもよいし、予め設定された離散的な値からユーザ２００によって選択されてもよい。
【００５１】
例えば、「強、普通、弱」等、ユーザ２００に理解しやすい指標で表した予め設定された値から選ばせてもよい。また、表示内容、ユーザの年齢、表示装置１００の利用環境等に合わせて予め決定した値をユーザ２００に選ばせてもよい。更に、歪量設定部１５５に設定する歪量の値は、比較的広い間隔で設定された離散的な値を選択した後に、当該選択された値に対して比較的狭い範囲で連続的に微調整した値であってもよい。
【００５２】
歪量設定部１５５は、ユーザ２００の個人それぞれにおける、画像酔いまたはグローブイフェクトに対する感度に対応して歪量を設定してもよい。この場合に、画像酔いまたはグローブイフェクトに対する感度は、予め、検査により測定してもよいし、過去の経験からユーザ自身が判断してもよい。この場合に、当該感度等と歪量とが対応付けられてメモリ等に格納されており、歪量設定部１５５はユーザ２００等により指定された感度に対応する歪量をメモリ等から読み出す。
【００５３】
歪画像生成部１５３は、歪量設定部１５５に設定された歪量を原画像３２１に加えて歪画像を生成する。この場合に、歪画像生成部１５３は、歪量設定部１５５に設定された歪量をさらに調整して原画像３２１に加えてもよい。歪画像生成部１５３がひとつの原画像３２１に加える歪量は、一種類に限られず複数種類を重畳してもよい。この場合にさらに、原画像３２１のひとつの領域に複数種類の歪量を重畳したり、原画像３２１の領域毎に異なる種類の歪量を加えてもよい。歪量の種類を原画像３２１全体で共通にして、領域毎にパラメータの値を異ならせてもよい。
【００５４】
更に、歪量設定部１５５に設定する歪量の値は、歪画像生成部１５３が生成する歪画像３３１の歪量が、表示装置１００においてユーザ２００が外界を観察する場合の光路を形成する観察光学系における視野領域３１０内の風景像の歪量と一致するように選択してもよい。ただし、あらゆる表示像３２２に正確に対応した歪量を設定することは困難なので、予め決められた範囲で、観察光学系の歪量に一致させればよい。
【００５５】
また、表示装置１００は、歪量の相違が解りやすいグリッド状やドット状のテストパターンや、これらが速度や方向を変えて移動するテストパターン等を表示させて、ユーザ２００の違和感が小さくなるように、操作部１６０を操作させてもよい。これにより、ユーザ２００は、歪量の設定数値を意識することなく、自己にとって適切な（快適に感じられる）歪量を歪量設定部１５５に設定できる。
【００５６】
生体情報センサ１９０は、例えば、フレーム１１０の内側に設けた撮像素子、電極、温度センサ等により形成される。また、６軸センサ１２０を、ユーザ２００の活動量センサとして利用してもよい。これらのセンサを用いて、生体情報センサ１９０は、ユーザ２００の体表の電気抵抗、皮膚の温度、目の充血、行動の俊敏性等を検出して、ユーザ２００の体調を判定して、例えば、ユーザ２００に画像酔いの兆候が認められる場合は、歪量設定部１５５に設定する歪量を変化させる。これにより、ユーザ２００が気づいていない体調の変化等に対応して、違和感の少ない表示像３２２を表示させることができる。生体情報センサ１９０の検出結果による歪量の調整は、当初設定された歪量に対する微調整であってもよい。
【００５７】
図１０は、歪画像生成部１５３において歪画像３３１を生成する画像処理の概念を説明する模式図である。図１０（Ｂ）は、図６を参照して説明した通り、等間隔で配されたドットを含む表示像３２２をユーザ２００が知覚する視認像３１１を示す。図示のように、ユーザ２００が知覚する視認像３１１においては、表示領域３２０の周縁近傍でドットの間隔が狭く感じられる。
【００５８】
ここで、表示領域の四隅に近い領域Ｐでは、画素ピッチが、図中の縦横双方に接近している。よって、歪画像生成部１５３は、領域Ｐにおいて、表示領域３２０の対角線方向に、外側に向かって拡大する画像処理を実行する。また、表示領域３２０の各辺に近く、領域Ｐを除いた領域Ｑでは、画素ピッチが各辺に直交する方向に狭まっている。よって、歪画像生成部１５３は、領域Ｑにおいて、表示領域３２０の各辺に直交する方向に、外側に向かって拡大する画像処理を実行する。これにより、図１０（Ｃ）に示すように、周縁近傍においてドットの間隔が広く、中央近傍においてはドットの間隔が変化していない歪画像３３１が生成され、表示部１７０における表示像３２２となる。
【００５９】
図１０（Ｄ）は、表示像３２２として上記の歪画像３３１を表示した場合に、ユーザ２００が知覚する視認像３１１を示す模式図である。このように、歪画像３３１が表示像３２２として表示された場合は、歪画像３３１の歪と、ユーザ２００が知覚する視認像３１１の変形とが重なって、全体としてドットピッチの変化が少なく、グローブイフェクトが目立たない。よって、表示領域３２０と表示像３２２とが相対的に移動しても、歪み２００が画像酔いを生じ難い。
【００６０】
なお、歪画像生成部１５３が歪画像３３１を生成する過程で原画像３２１の一部が拡大される。このため、画素レベルでみると、拡大により画素値が欠落した画素が生じる場合がある。よって、歪画像生成部１５３は、歪画像の生成に伴って、欠落した画素値を補間する処理も併せて実行してもよい。
【００６１】
本発明の態様では、ユーザ２００が画像を見る際に生じる違和感を抑制することができる。すなわち、ユーザ２００の画像酔いを抑制することができる。
【００６２】
図１１は、他の表示装置１０１のブロック図である。表示装置１０１は、下記に説明する部分を除くと、図９に示した表示装置１００と同じ構造を有する。よって、共通の要素には同じ参照番号を付して、重複する説明を省く。
【００６３】
表示装置１０１は、ユーザ属性認識部１５７および歪量自動算出部１５６を備える点において、表示装置１００と異なる。ユーザ属性認識部１５７は、表示装置１０１を装着したユーザ２００のユーザ属性を認識する。
【００６４】
ここで、ユーザ属性とは、表示装置１０１における視覚像３２３の歪みに対して影響するユーザ２００の情報であって、例えば、ユーザ２００の年齢、性別、視力、過去の経験に基づく酔いやすさの程度等を例示できる。また、表示装置１０１に、何らかのテスト画像を表示して、ユーザ２００の酔いやすさ等を測定してもよい。
【００６５】
ユーザ属性認識部１５７によるユーザ属性の認識は、ユーザ２００により入力してもよいし、センサ等を設けて、表示装置１０１が自動的に検出してもよい。また、通信部１５１を通じて、リモコン、スマートフォン等からユーザ属性をユーザ属性認識部１５７に入力してもよい。
【００６６】
歪量自動算出部１５６は、ユーザ属性認識部１５７が認識したユーザ属性に基づいて、歪量設定部１５５に設定する適切な歪量を算出する。歪量自動算出部１５６による歪量の算出処理は、例えば、予め定められた複数種類のユーザ属性と、ユーザ属性認識部１５７が認識したユーザ属性とを比較して、一致するユーザ属性に予め対応付けられた歪量を歪量設定部１５５に設定する処理であってもよい。また、複数のユーザ属性、例えば、ユーザ２００の年齢、性別、視力等の情報を相互に勘案して、歪量設定部１５５に設定する歪量を算出してもよい。
【００６７】
歪量自動算出部１５６により算出された歪量は、歪量設定部１５５に自動的に設定されてもよい。歪量設定部１５５は、歪量自動算出部１５６により歪量を設定されることにより、歪量を自動的に設定する自動設定部を形成できる。
【００６８】
更に、表示装置１０１においては、歪量自動算出部１５６が歪量設定部１５５に歪量を設定した後に、ユーザ２００が操作部１６０を操作して、設定された歪量を更に調整してもよい。この場合の歪量の調整においても、歪量の調整量は、連続可変であってもよいし、離散的な値を選択してもよい。
【００６９】
なお、図１１では図示を省略したが、表示装置１０１に、更に、生体情報センサ１９０を設けてもよい。これにより、歪量設定部１５５に設定する歪量の値に、更に、生体情報センサ１９０の検出結果を加味して、ユーザ２００の体調や身体的反応に則した歪量を設定できる。また、生体情報センサ１９０の検出結果と、あらかじめ個人ごとに特徴づけて記憶されている生体情報とを比較対照することによって、表示装置１０２を装着している個人を特定し、特定された個人の属性に基づいて前述の歪量設定を行っても良い。
【００７０】
図１２は、また他の表示装置１０２のブロック図である。表示装置１０２は、下記に説明する部分を除くと、図１１に示した表示装置１０１と同じ構造を有する。よって、共通の要素には同じ参照番号を付して、重複する説明を省く。
【００７１】
表示装置１０２は、歪量自動算出部１５６が省かれ、ユーザ属性認識部１５７の認識結果が、通信部１５１を通じて、外部装置１６１に送信される点において、図１１に示した表示装置１０１と異なる構造を有する。外部装置１６１は、ユーザ属性と歪量とを関連付けて格納しており、ユーザ属性認識部１５７が認識したユーザ属性に対応した歪量を、通信部１５１に返す。これにより、歪量設定部１５５には、ユーザ属性に対応した歪量の値が設定される。
【００７２】
このように、ユーザ属性と歪量の値との対応関係を、表示装置１０２の外部に格納することにより、格納容量に対する制限がなくなり、ユーザ属性に対してきめ細かい対応ができる。また、複数種類のユーザ属性情報から設定すべき歪量を算出する処理も外部装置１６１に委ねることにより、表示装置１０１における情報処理を軽減して、処理速度を向上できると共に、電力消費を抑制できる。
【００７３】
更に、表示装置１００の外部に配された外部装置１６１にユーザ属性とそれに対応した表示装置１００における歪量の設定等を保存することにより、他の表示装置においても保存した情報を利用できる。例えば、ユーザ２００が他の表示装置１００を使用する場合に、以前に使用した表示装置１００で設定した値を外部装置１６１から取得することにより、初期設定等を省くことができる。また、ユーザ２００の専有していない表示装置１００、例えば、公共施設に備えつけの表示装置１００であっても、ユーザ２００の個人の設定を外部装置１６１から取得してユーザ２００に適した設定で使用できる。
【００７４】
なお、図１２では図示を省略したが、表示装置１０２に、更に、生体情報センサ１９０を設けてもよい。さらに、生体情報センサ１９０の検出結果も、通信部１５１を通じて外部装置１６１に送信してもよい。これにより、歪量設定部１５５に設定する歪量の値に、更に、生体情報センサ１９０の検出結果を加味して、ユーザ２００の体調に則した歪量を設定できる。
【００７５】
図１３は、また他の表示装置１０３のブロック図である。表示装置１０３は、下記に説明する部分を除くと、図９に示した表示装置１００と同じ構造を有する。よって、共通の要素には同じ参照番号を付して、重複する説明を省く。
【００７６】
表示装置１０３は、テストパターンを格納した格納部１６２を備える点において、図９に示した表示装置１００と異なる構造を有する。格納部１６２が格納するテストパターンは、表示画像生成部１５４が、表示像３２２と合成して表示させる。ここで表示されるテストパターンは、表示画像の歪量を測定するスケールとして利用されるパターンを有する。これにより、ユーザ２００は、表示画像における歪量を定量的に認識して、歪量設定部１５５に設定する適切な歪量の値を知ることができる。
【００７７】
なお、テストパターンの表示は、ユーザ２００が操作部１６０の操作を通じてオン／オフできるようにしてもよい。これにより、ユーザ２００が歪量設定部１５５に歪量を設定する場合に限ってテストパターンを表示させることができる。また、図１３では図示を省略したが、表示装置１０３に、更に、生体情報センサ１９０、ユーザ属性認識部１５７、歪量自動算出部１５６を設けてもよい。これにより、表示装置１０３においても、表示装置１００、１０１、１０２と同様の機能を実行できる。
【００７８】
図１４は、また他の表示装置１０４のブロック図である。表示装置１０４は、下記に説明する部分を除くと、図１３に示した表示装置１０３と同じ構造を有する。よって、共通の要素には同じ参照番号を付して、重複する説明を省く。
【００７９】
表示装置１０４は、テストパターンを格納した格納部１６３を備え、表示画像生成部１５４が、テストパターンを表示画像に合成して、投射部１７２を通じて眼鏡レンズ１７１に表示させる点においては、図１３に示した表示装置１０３共通の構造を有する。ただし、表示装置１０４は、格納部１６３が格納するテストパターンと、その使用方法が異なる。
【００８０】
図１５は、表示装置１０４の格納部１６３に格納されたテストパターン図形３２５の例を示す模式図である。図示のように、格納部１６３は、互いに歪量が異なる複数のテストパターンを格納する。また、表示装置１０４において、表示画像生成部１５４は、複数のテストパターン図形３２５を、予め定められた時間毎に順次表示する。
【００８１】
ユーザ２００は、表示されている表示像３２２にもっともフィットしたテストパターン図形３２５が表示された場合に、操作部１６０を通じてその旨を表示装置１０４に伝える。これにより、歪量設定部１５５には、表示されている表示像３２２に対して適切な歪量が設定される。
【００８２】
なお、テストパターンの表示は、ユーザ２００が操作部１６０の操作を通じてオン／オフできるようにしてもよい。これにより、ユーザ２００が歪量設定部１５５に歪量を設定する場合に限ってテストパターンを表示させることができる。
【００８３】
また、表示装置１０４においては、格納部１６３に格納された全てのテストパターン図形３２５を順次表示してもよいが、表示させるテストパターン図形３２５をユーザ２００が操作部１６０を通じて選択して、限られた数のテストパターン図形３２５を表示させてもよい。これにより、テストパターン図形３２５を用いた歪量設定部１５５への歪量設定に要する時間を短縮できる。
【００８４】
更に、図１４では図示を省略したが、表示装置１０３に、生体情報センサ１９０、ユーザ属性認識部１５７、歪量自動算出部１５６を設けてもよい。これにより、表示装置１０３においても、表示装置１００、１０１、１０２と同様の機能を実行できる。
【００８５】
図１６は、また他の表示装置１０５の表示部２７０の模式的な部分断面図である。表示部２７０は、下記に説明する部分を除くと、図３に示した表示部１７０と同じ構造を有する。よって、共通の要素には同じ参照番号を付して、重複する説明を省く。
【００８６】
表示部２７０は、投射部１７２と眼鏡レンズ１７１との間に、表示用光学系１７４を備える点において、表示部１７０と異なる構造を有する。表示用光学系１７４は、表示像３２２に対して、光学的に正の歪曲を付加する機能を有する。
【００８７】
図１７は、表示装置１０５のブロック図である。表示装置１０５は、下記に説明する部分を除くと、図９に示した表示装置１００と同じ構造を有する。よって、共通の要素には同じ参照番号を付して、重複する説明を省く。
【００８８】
表示装置１０５は、歪画像生成部１５３に加えて、表示用光学系１７４を備える点において、表示装置１００と異なる構造を有する。また、表示装置１０５は、歪量設定部１５５が、設定された歪量を表示用光学系１７４にも伝える点で、表示装置１００と異なる構造を有する。これにより、表示装置１０５においては、歪画像生成部１５３における画像処理により歪画像３３１が生成されることに加えて、表示用光学系１７４における光学的処理によって歪画像３３２が生成される。
【００８９】
なお、図１７では図示を省略したが、表示装置１０５に、生体情報センサ１９０、ユーザ属性認識部１５７、歪量自動算出部１５６等のいずれかを設けてもよい。これにより、表示装置１０５においても、表示装置１００、１０１、１０２と同様の機能を実行して、歪量の設定精度を向上させることができる。
【００９０】
図１８は、表示用光学系１７４において、生成される歪画像３３２を示す模式図である。表示用光学系１７４においては、表示装置１００の原画像３２１であるグリッド図形３２６に対して、光学的に正の歪曲収差と同等の変形が加えられる。このため、原画像３２１として、図中に点線で示すようなグリッド図形３２６は、図中に実線で示すように、表示用光学系１７４において正の歪曲が付加され、いわゆる糸巻型の歪曲を有する歪画像３３２となる。このような歪画像３３２を表示像３２２として表示した場合、ユーザ２００により知覚される視認像３１１は、グローブイフェクトが抑制された、原画像３２１のグリッド図形３２６に近いものに感じられ、ユーザ２００の違和感が軽減される。
【００９１】
このように、歪画像生成部１５３は、原画像３２１の中心部よりも周縁部において、歪量が大きい歪画像３３２を生成してもよい。なお、上記の例では、歪画像３３２全体を表示用光学系１７４により生成した。また、図１０に示した例では、歪画像３３１全体を画像処理により生成した。しかしながら、例えば、歪画像３３１、３３２の一部、例えば中央寄りの領域を表示用光学系１７４により生成し、歪画像３３１、３３２の他の一部、例えば周縁寄の領域を画像処理により生成する等、光学処理と電子的な画像処理とを併せて歪画像３３１、３３２を生成してもよい。
【００９２】
図１９は、表示装置１０５において表示される歪画像３３２における歪曲収差Ｄｓｔを示すグラフである。図示のように、表示用光学系１７４においては、下記の式１が成り立つ。
歪曲収差Ｄｓｔ＝｛（ｔａｎθ'−ｔａｎθ）／ｔａｎθ｝×１００［％］
・・・（式１）
ここで、θはｙ＝ｆ・ｔａｎθで算出された射出角、ｙは物体高、ｆは接眼レンズの焦点距離、θ'は実際の射出角をそれぞれ示す。ここで、θ'は、下記の（式２）、（式３）および（式４）により示す射影方式のいずれを用いるかに応じて異なる。
ｙ＝ｆθ'            ・・・（式２）
ｋｙ＝ｆｔａｎ（ｋθ'）・・・（式３）
ｙ＝ｆｔａｎθ'      ・・・（式４）
【００９３】
ここで、上記の式４を適用した場合、歪曲収差Ｄｓｔはゼロになるが、図８を参照して説明したグローブイフェクトが、ユーザ２００に強く視認される。一方、上記の式２を適用した場合、ユーザ２００はグローブイフェクトを視認しないが、歪曲収差Ｄｓｔを強く感じる。よって、ユーザ２００が感じる歪曲収差Ｄｓｔおよびグローブイフェクトがいずれも軽微となるように、上記の式３を適用して、係数ｋの値を、０．５と等しいか、０．５よりも大きく、且つ、０．７と等しいか、０．７よりも小さい範囲とすることが好ましい。
【００９４】
なお、上記の式３を適用した場合、上記の式１は、下記の式５のように表すことができる。
歪曲収差Ｄｓｔ＝｛（１／ｋ）ｔａｎ−１（ｋｙ／ｆ）−ｙ／ｆ｝／（ｙ／ｆ）［％］
・・・（式５）
【００９５】
図２０は、表示装置１０５全体で生成する歪画像３３３を説明する図である。図１７を参照して既に説明した通り、表示装置１０５においては、歪画像生成部１５３における画像処理により歪画像３３１が生成されることに加えて、表示用光学系１７４における光学的処理によっても歪画像３３２が生成され、表示装置１００により表示像３２２として表示される。これにより、表示装置１０５全体としては、歪画像３３１の歪量と、歪画像３３２の歪量とを重畳した大きな歪量を有する歪画像３３３される。
【００９６】
なお、上記の表示装置１０５は、歪画像生成部１５３と表示用光学系１７４とを両方備えていた。しかしながら、必要な歪量が得られるのであれば、歪画像生成部１５３を省略して、表示用光学系１７４単独で歪画像３３２を生成してもよい。これにより、画像処理の負担を低減して、処理の高速化と消費電力の抑制とが達成される。
【００９７】
図２１は、他の表示装置１０６の模式的断面図である。表示装置１０６は、いわゆる没入型のヘッドマウントディスプレイである。なお、図２１において、図９に示した表示装置１００と共通の要素には、同じ参照番号を付して重複する説明を省く。
【００９８】
表示装置１０６は、筐体１１６により一体化された６軸センサ１２０、電池１４０、操作部１６０、および回路部１５０を備える。６軸センサ１２０、電池１４０、および操作部１６０の機能は、図９に示した表示装置１００と等しい。また、回路部１５０は、通信部１５１、原画像生成部１５２、歪画像生成部１５３、表示画像生成部１５４、および歪量設定部１５５を有する。
【００９９】
更に、表示装置１０６は、筐体１１６に収容された表示部１５８、接眼レンズ１５９、および表示用光学系１７４を備える。表示部１５８は、バックライト付きの液晶表示パネル、有機ＥＬ表示パネル等の直視型表示デバイスにより形成され、ユーザ２００の両目に対応して一対設けられる。
【０１００】
接眼レンズ１５９および表示用光学系１７４を含む光学系も、ユーザ２００の両目に対応して一対設けられる。接眼レンズ１５９は、表示部１５８に表示された画像を拡大してユーザ２００に視認させる。これにより、小型の表示部１５８を用いて表示装置１０６を小型化できる。
【０１０１】
表示用光学系１７４は、図１６に示した表示装置１０５の表示用光学系１７４と同様に、表示装置１０５の表示画像に対して正の歪曲収差を付加する。また、表示用光学系１７４は、表示画像に加える歪曲収差の歪量を調節できる。
【０１０２】
上記のような表示装置１０６は、表示装置１０５と同様に、歪量設定部１５５に設定された歪量に応じて、歪画像生成部１５３による画像処理と、表示用光学系１７４による光学処理とにより生成された歪画像をユーザ２００に視認させることができる。
【０１０３】
なお、図２１では図示を省略したが、表示装置１０５に、生体情報センサ１９０、ユーザ属性認識部１５７、歪量自動算出部１５６等のいずれかまたは全てを設けてもよい。これにより、表示装置１０６においても、表示装置１００、１０１、１０２と同様の機能を実行して、歪量の設定精度を向上させることができる。
【０１０４】
図２２は、表示用光学系１７４において、歪画像３３２に正の歪曲収差を生じさせる光学系３０１を示す図である。図２３は、光学系３０１の収差図である。光学系３０１においては、図示のように、３群のレンズのうち、中央の一群を光軸方向に移動させることにより、歪画像３３２の歪量を変化させることができる。また、光学系３０１においては、光学系３０１の焦点距離を保った状態で歪量を変化させることができる。
【０１０５】
これによって、表示部１５８を移動させる必要がないので、表示装置１０５を簡素化できる。図２２に示した表示用光学系１７のレンズデータを下記の表１および表２に示す。
【表１】
0006500570.tif 000002
【表２】
0006500570.tif 000003
【０１０６】
図２４は、表示用光学系１７４において、歪画像３３２に正の歪曲収差を生じさせる他の光学系３０２を示す図である。図２５は、光学系３０２の収差図である。光学系３０２においては、図示のように、３群のレンズのうち、後ろ２群をそれぞれ光軸方向に移動させることにより、歪画像３３２の歪量を変化させることができる。また、光学系３０２においては、光学系３０２の焦点距離を保った状態で歪量を変化させることができる。
【０１０７】
これによって、表示部１５８を移動させる必要がないので、表示装置１０５を簡素化できる。図２４に示した表示用光学系１７４のレンズデータを下記の表３および表４に示す。
【表３】
0006500570.tif 000004
【表４】
0006500570.tif 000005
【０１０８】
図２６は、表示用光学系１７４において、歪画像３３２に正の歪曲収差を生じさせる他の光学系３０３を示す図である。図２７は、光学系３０３の収差図である。光学系３０３においては、図示のように、４群のレンズのうち、前後の２群をそれぞれ光軸方向に移動させることにより、歪画像３３２の歪量を変化させることができる。また、光学系３０３においては、光学系３０３の焦点距離を保った状態で歪量を変化させることができる。
【０１０９】
これによって、表示部１５８を移動させる必要がないので、表示装置１０５を簡素化できる。図２６に示した表示用光学系１７４のレンズデータを下記の表５および表６に示す。
【表５】
0006500570.tif 000006
【表６】
0006500570.tif 000007
【０１１０】
以上、表示装置１０１、１０２、１０３、１０４、１０５、１０６について説明した。しかしながら、ヘッドマウント型ではない表示装置においても、表示画像に正の歪曲を加えてユーザ２００の違和感を軽減できる。
【０１１１】
図２８は、ヘッドマウント型ではない表示装置１０７の模式図である。図示のように、表示装置１０７は、直視型の大型ディスプレイであり、例えば対角４０インチを超える表示面積を有する表示部１５８を備える。このため、ユーザ２００が１ｍ程度の近い観察距離で表示部１５８に表示された画像を観察した場合、表示部１５８の表示領域３２０に対するユーザ２００の見掛視界αは、水平視界が５０°、垂直視界が４０°を超える広角になる。よって、歪曲した場合に目立つパターンを含む表示対象、あるいは、歪曲が十分に補正された画像を表示部１５８に表示して表示領域３２０内を移動させた場合、当該画像を観察するユーザ２００は、グローブイフェクトを感じる場合がある。
【０１１２】
表示装置１０７は、更に、既に説明した表示装置１０１〜１０６と同様に、原画像生成部１５２、歪画像生成部１５３、表示画像生成部１５４、および歪量設定部１５５を備える。よって、歪量設定部１５５に設定された歪量で、歪画像生成部１５３が生成した歪画像を、表示画像生成部１５４が表示部１５８に表示させることができる。
【０１１３】
これにより、表示部１５８には、例えば、正の歪曲が付加された画像が表示され、ユーザ２００の画像に対する違和感を軽減できる。なお、表示装置１０７においても、生体情報センサ１９０、通信部１５１、歪量自動算出部１５６、ユーザ属性認識部１５７、テストパターンを格納した格納部１６２、１６３等を設けて、歪量設定部１５５に対して設定する歪量の精度を向上させることができる。
【０１１４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１１５】
本発明の態様に係る他の実施例として、本発明の態様を画像表示方法に採用しても良い。本発明の態様に係る画像表示方法は、原画像に基づいて歪画像を生成する歪画像生成ステップと、歪画像の歪量を設定する歪量設定ステップと、歪画像を表示する表示ステップとを有し、歪画像生成ステップでは、原画像に歪量設定ステップで設定された歪量を加えて、歪画像を生成する。
【０１１６】
また、本発明の態様に係る画像表示方法は、原画像に基づいて歪画像を生成する歪画像生成ステップと、ユーザの属性に基づいて歪画像の歪量を設定する歪量設定ステップと、歪画像を表示する表示ステップとを有し、歪画像生成ステップでは、原画像に歪量設定ステップで設定された歪量を調整して、歪画像を生成する。これによって、ユーザ２００が画像を見る際に生じる違和感を抑制することができる。すなわち、本発明の態様では、ユーザ２００の画像酔いを抑制することができる。
【０１１７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１１８】
１００、１０１、１０２、１０３、１０４、１０５  表示装置、１１０  フレーム、１１１  テンプル、１１２  ヒンジ、１１３  保持枠、１１４  ブリッジ、１１５  パッド、１１６  筐体、１２０  ６軸センサ、１４０  電池、１５０  回路部、１５１  通信部、１５２  原画像生成部、１５３  歪画像生成部、１５４  表示画像生成部、１５５  歪量設定部、１５６  歪量自動算出部、１５７  ユーザ属性認識部、１５８  表示部、１６０  操作部、１６１  外部装置、１６２、１６３  格納部、１６０  操作部、１７０、２７０  表示部、１７１  眼鏡レンズ、１７２  投射部、１７３  反射層、１７４  表示用光学系、１８０  撮像部、１９０  生体情報センサ、２００  ユーザ、２１０  鼻、２２０  眼、２３０  耳、３０１、３０２、３０３  光学系、３１０  視野領域、３１１  視認像、３２０  表示領域、３２１  原画像、３２２  表示像、３２４  表示図形、３２５  テストパターン図形、３２６  グリッド図形、３３０  表示像光、３３１、３３２、３３３  歪画像
【図１】
0006500570.tif 000008
【図２】
0006500570.tif 000009
【図３】
0006500570.tif 000010
【図４】
0006500570.tif 000011
【図５】
0006500570.tif 000012
【図６】
0006500570.tif 000013
【図７】
0006500570.tif 000014
【図８】
0006500570.tif 000015
【図９】
0006500570.tif 000016
【図１０】
0006500570.tif 000017
【図１１】
0006500570.tif 000018
【図１２】
0006500570.tif 000019
【図１３】
0006500570.tif 000020
【図１４】
0006500570.tif 000021
【図１５】
0006500570.tif 000022
【図１６】
0006500570.tif 000023
【図１７】
0006500570.tif 000024
【図１８】
0006500570.tif 000025
【図１９】
0006500570.tif 000026
【図２０】
0006500570.tif 000027
【図２１】
0006500570.tif 000028
【図２２】
0006500570.tif 000029
【図２３】
0006500570.tif 000030
【図２４】
0006500570.tif 000031
【図２５】
0006500570.tif 000032
【図２６】
0006500570.tif 000033
【図２７】
0006500570.tif 000034
【図２８】
0006500570.tif 000035